(57)【要約】【課題】大空間内の特定方向にミストを集中して拡散させたり、大空間内の遠くまでミストを拡散させることができるようにして、大空間の特定の場所を効果的に冷房することができ、しかもノズルが詰まるようなことはなく、ミストの噴霧、拡散に支障をきたすことのないミスト発生装置を提供する。【解決手段】側面に開口１ａを形成した箱状本体１の内部にシロッコファン２を設置し、前記箱状本体１の開口１ａの前方にミストノズル３を設置し、前記箱状本体１のいずれかの面に前記シロッコファン２の大気取り入れ口４を形成したものとしている。【選択図】    図１
2009299995.tif 000002
【特許請求の範囲】
【請求項１】
側面に開口（１ａ）を形成した箱状本体（１）の内部にシロッコファン（２）を設置し、前記箱状本体（１）の開口（１ａ）の前方にミストノズル（３）を設置し、前記箱状本体（１）のいずれかの面に前記シロッコファン（２）の空気取り入れ口（４）を形成したことを特徴とするミスト発生装置。
【請求項２】
前記箱状本体（１）を、平坦な略直方体形状としたことを特徴とする請求項１記載のミスト発生装置。
【請求項３】
前記開口（１ａ）を、横長の長方形状にしたことを特徴とする請求項１または２記載のミスト発生装置。
【請求項４】
前記ミストノズル（３）を、横方向に複数個、並列させたものとしたことを特徴とする請求項４記載のミスト発生装置。
【請求項５】
前記ミストノズル（３）に送られる水を、多段式のフィルタ装置（１３）で濾過したものとしたことを特徴とする請求項１〜４のいずれかに記載のミスト発生装置。
【請求項６】
前記空気取り入れ口（４）を、箱状本体（１）の上面に形成したことを特徴とする請求項１〜５のいずれかに記載のミスト発生装置。
【発明の詳細な説明】
【技術分野】
【０００１】
この発明は、建築工事現場、屋外のイベント会場などの開放された大空間、または温室、ビニールハウス、公民館、美術館、体育館などの閉鎖された大空間において使用するのに適したミスト発生装置に関するものである。
【背景技術】
【０００２】
従来、この種のミスト発生装置は、例えば図６、７に示すように、扇風機２１、電源２２、水タンク２３、ポンプ２４、およびこのポンプ２４から延出する送水ホース２５に継ぎ手２６を介して接続され、扇風機ファン２７の正面側に適宜の手段で固定されたノズル２８付きの金属製導管２９からなるものとしている（特許文献１）。
【０００３】
さらに、この種のミスト発生装置は、例えば図８に示すように、送風扇３１を備えている送風扇枠３２の前面に、送風扇３１の羽根径に見合ったサイズで、複数個の噴出口３３を有するリング状の送液管３４を設置し、この送液管３４に設けられている液体供給口３５から所定の圧力をかけた水を供給すると共に、送風扇３１を回転させることにより、その風圧で、噴出口３３から噴霧されてミスト状となった水を温室などの大空間内に拡散させ、このミストの気化潜熱により、温室などの大空間内を冷房するものとしている（特許文献２）。
【０００４】
このように構成した従来のミスト発生装置は、扇風機ファン２７や送風扇３１の風圧により、大空間内にミストを広い範囲にわたって拡散させることができるものとなっている。
【特許文献１】意匠登録第１３００３３６号公報
【特許文献２】実用新案登録第３０６８５２５号公報
【発明の開示】
【発明が解決しようとする課題】
【０００５】
ところで、建築工事現場、屋外のイベント会場などにおいては、実際に工事をしている場所や、ステージなどに集中的にミストを拡散させて、これらの特定の場所を効果的に冷房したい場合がある。
【０００６】
しかしながら、上記従来のミスト発生装置は、大空間内にミストを広い範囲にわたって拡散させることができるが、大空間内の特定方向にミストを集中して拡散させたり、大空間内の遠くまでミストを拡散させることができないので、上記した場合などに特定の場所のみを効果的に冷房することができないという問題点を有していた。
【０００７】
さらに、上記従来のミスト発生装置は、ノズル２８や噴出口３３に送られる水に不純物が混入する場合があり、このような場合にはこれらノズル２８や噴出口３３の一部が詰まってしまい、ミストの噴霧、拡散に支障をきたすという問題点を有していた。
【０００８】
そこで、この発明は、上記従来の問題点を解決することをその課題としており、大空間内の特定方向にミストを集中して拡散させたり、大空間内の遠くまでミストを拡散させることができるようにして、大空間の特定の場所を効果的に冷房することができ、しかもノズルが詰まるようなことはなく、ミストの噴霧、拡散に支障をきたすことのないミスト発生装置を提供することを目的としてなされたものである。
【課題を解決するための手段】
【０００９】
そのため、この発明のミスト発生装置は、側面に開口１ａを形成した箱状本体１の内部にシロッコファン２を設置し、前記箱状本体１の開口１ａの前方にミストノズル３を設置し、前記箱状本体１の上面に前記シロッコファン２の大気取り入れ口４を形成したものとしている。
【００１０】
そして、この発明のミスト発生装置は、前記箱状本体１を、平坦な略直方体形状としている。
【００１１】
さらに、この発明のミスト発生装置は、前記開口１ａを、横長の長方形状にしている。
【００１２】
また、この発明のミスト発生装置は、前記ミストノズル３を、横方向に複数個、並列させたものとしている。
【００１３】
さらに、この発明のミスト発生装置は、前記ミストノズル３に送られる水を、多段式のフィルタ装置１３で濾過したものとしている。
【００１４】
また、この発明のミスト発生装置は、前記空気取り入れ口４を、箱状本体１の上面に形成したものとしている。
【発明の効果】
【００１５】
この発明のミスト発生装置は、以上に述べたように構成されているので、大空間内の特定方向にミストを集中して拡散させたり、大空間内の遠くまでミストを拡散させることができるものとなり、大空間の特定の場所を効果的に冷房することのできるものとなり、しかもノズルが詰まるようなことはなく、ミストの噴霧、拡散に支障をきたすことがないものとなった。
【発明を実施するための最良の形態】
【００１６】
以下、この発明のミスト発生装置を実施するための最良の形態を、図面に基づいて詳細に説明する。
【００１７】
この発明のミスト発生装置は、一側面に開口１ａを形成した略直方体形状の箱状本体１の内部にシロッコファン２を設置し、この箱状本体１の開口１ａの前方にミストノズル３を設置し、前記箱状本体１のいずれかの面に前記シロッコファン２の大気取り入れ口４を形成したものとしている。
【００１８】
前記箱状本体１は、車台５に伸縮自在として立設したパイプなどの支持体６の上端部に、回動ジョイント７および傾動ジョイント８を介して、回動自在および傾動自在として支持されている。この箱状本体１は、図示したものでは、平坦な略直方体形状としているが、平坦な略円筒形状などとすることもできる。さらに、箱状本体１の開口１ａは、横長の長方形状にするのが、この開口１ａの前方にミストノズル３の複数個を設置し易くなるので好ましい。支持体６は、１. ０〜２. ０ｍ程度の範囲で伸縮自在としており、ミスト発生装置の全高を１. ５〜３. ０ｍ程度に調整できるものとしている。また、回動ジョイント７は、減速モータＭ1 によって作動され、箱状本体１が水平方向に首振りできるようにしており、傾動ジョイント８は、止ナットＮを手動で緩めたり締めたりして、箱状本体１が垂直方向に首振りできるようにしている。なお、減速モータＭ1 への電気配線は、車台５に立設した支持体６に沿わせたり、この支持体６内に挿通したものとすることができる。
【００１９】
前記シロッコファン２は、図示したように、中心部に吸い込み口を有し、円板１０の周囲に多数の上向き羽根１１を配設したものとした場合には、大気取り入れ口４を箱状本体１の上面に形成し、この大気取り入れ口４から大気を吸入し、吸入した大気を周りに吐き出し、箱状本体１の開口１ａから吹き出すようにしている。このシロッコファン２の風量は、１０〜２０リットル／分とするのが、後に述べるミストノズル３からの水の噴霧量と相応しいものになる。なお、前記大気取り入れ口４は、シロッコファン２の箱状本体１内への設置具合、羽根１１の方向などによって、箱状本体１の側面、下面などの任意の面に形成することができる。
【００２０】
前記ミストノズル３は、箱状本体１の開口１ａの前方に横方向に複数個、並列させたものとしており、ポンプ１２によって所定の圧力（５〜１０ＭＰａ）で、水量０. ５〜１. ０リットル／分で噴霧するようにしている。このようにすれば、前記シロッコファン２の風量と相まって、箱状本体１の開口１ａから大空間内の特定方向にミストを集中して拡散させたり、大空間内の遠くまでミストを拡散させることができる。
【００２１】
前記ミストノズル３に送られる水は、多段式のフィルタ装置１３で濾過されたものとしている。
【００２２】
前記大気取り入れ口４は、通常は円形としており、シロッコファン２の上方で、このシロッコファン２の多数の上向き羽根１１の内方に位置するようにして、箱状本体１の上面に形成されたものとするのが好ましい。この大気取り入れ口４は、全高を１. ５〜３. ０ｍ程度に調整したミスト発生装置の箱状本体１の上面に形成されたものとすると、誤って手などを差し込むことは少なく、また誤って手などを差し込んでも、大気取り入れ口４の真下には、シロッコファン２の中心部が位置しており、シロッコファン２の上向き羽根１１は位置していなので、怪我をする危険性は少なく安全である。
【００２３】
前記車台５は、底部にキャスター１４が取り付けられており、押したり引いたりすることにより移動可能にしている。この車台５の内部には、前記ポンプ１２およびポンプ１２を作動させるモータＭ2 が設置されると共に、前記フィルタ装置１３が設置されている。このフィルタ装置１３は、フィルタ槽１３ａが複数（図示したものは三つ）設置されており、それぞれ順にパイプＰ1 、Ｐ2 で接続され、上流側のフィルタ槽１３ａから下流側のフィルタ槽１３ａにかけてフィルタ径が小さくなる濾過フィルタ（図示せず）を備えたものとしている。そのため、フィルタ槽１３ａの水は、不純物が除かれて、ポンプ１２から送液パイプ１５を通してミストノズル３に供給され、ミストノズル３が詰まらないようにして、このミストノズル３から噴霧される。図示した三つのフィルタ槽１３ａには、上流側から下流側にかけて２５μ、１０μ、５μのフィルタ径を有する濾過フィルタを備えたものとしている。
【００２４】
さらに、前記車台５は、側部に主電源スイッチ１６ａ、ポンプ１２の作動用スイッチ１６ｂ、シロッコファン２の作動用スイッチ１６ｃ、箱状本体１の水平方向の首振りスイッチ１６ｄを設けたものとしている。図示したスイッチは、レバーにしているが、ボタンなどとすることもできる。
【００２５】
以上のように構成されたこの発明のミスト発生装置は、例えば建築工事現場、屋外のイベント会場において、次のようにして使用される。
【００２６】
先ず、この発明のミスト発生装置を建築工事現場、屋外のイベント会場に運搬し、キャスター１４により移動させて、これらの邪魔にならない位置に設置する。
【００２７】
そして、このミスト発生装置の全高を適当な高さに調整するとともに、実際に工事をしている場所や、ステージの方向に箱状本体１の開口１ａを向け、傾動ジョイント８の止ナットＮを手動で緩めて、箱状本体１を適当な傾動角度に調整してから、前記止ナットＮを手動で締め付けて、その傾動角度に固定する。
【００２８】
そこで、この発明のミスト発生装置の車台５の側部に設けた主電源スイッチ１６ａ、ポンプ１２の作動用スイッチ１６ｂ、シロッコファン２の作動用スイッチ１６ｃを入れる。すると、ミストノズル３から水のミストが噴霧されるとともに、シロッコファン２によって大気が箱状本体１の開口１ａから吹き出されるので、箱状本体１の開口１ａから実際に工事をしている場所や、ステージの方向などの特定方向にミストを集中して拡散させたり、これらの場所が離れていても遠くまでミストを拡散させることができる。そして、そのミストを拡散させた場所を効果的に冷房することができる。
【００２９】
さらに、この発明のミスト発生装置の車台５の側部に設けた箱状本体１の水平方向の首振りスイッチ１６ｄを入れると、箱状本体１が首を振り続けるので、これらの場所でより広い範囲にミストを拡散することができ、そのミストを拡散させた場所をより効果的に冷房することができるものとなる。
【図面の簡単な説明】
【００３０】
【図１】この発明のミスト発生装置の斜視図である。
【図２】この発明のミスト発生装置の正面図である。
【図３】この発明のミスト発生装置の一部を破断して示す側面図である。
【図４】この発明のミスト発生装置の箱状本体の平面図である。
【図５】この発明のミスト発生装置の車台の断面平面図である。
【図６】従来のミスト発生装置の一例の概略を示す正面図である。
【図７】図７に示す従来のミスト発生装置の側面図である。
【図８】従来のミスト発生装置の他の例を示す正面図である。
【符号の説明】
【００３１】
１  箱状本体
１ａ  開口
２  シロッコファン
３  ミストノズル
４  大気取り入れ口
１３  フィルタ装置
【図１】
2009299995.tif 000003
【図２】
2009299995.tif 000004
【図３】
2009299995.tif 000005
【図４】
2009299995.tif 000006
【図５】
2009299995.tif 000007
【図６】
2009299995.tif 000008
【図７】
2009299995.tif 000009
【図８】
2009299995.tif 000010